(57)【要約】【課題】フレーム柱を立設する工程と固定側駆動ユニットを組み立てる工程とを簡略化することができるようにした駐車装置の作業台装置およびそれを用いた据え付け方法を提供する。【解決手段】可動側トレー３７の長手方向に分散して配置した二台のクレーン装置４１，４２と、中央上部に上階用固定側駆動ユニット４９を持ち上げ可能な持ち上げ装置４３を搭載した作業台装置３８を可動側トレー３７上に搭載し、下階用固定側駆動ユニット２７上に作業台装置３８を移動した後、二台のクレーン装置４１，４２を使用して下階用固定側駆動ユニット２７の周囲にフレーム柱４５を立設し、上階駐車部分１３に設置することになる上階用固定側駆動部ユニット４９を搭載して下階用固定側駆動ユニット２７上に作業台装置３８を移動した後、作業台装置３８の持ち上げ装置４３を使用して上階用固定側駆動部ユニット４９をフレーム柱４５上に組み立てるようにした。【選択図】図１２
2014040731.tif 000002
【特許請求の範囲】
【請求項１】
駐車部分に下階駐車部分と上階駐車部分とを構成し、前記下階駐車部分には、駐車車両を搭載可能な可動側トレーを駆動する複数の下階用固定側駆動ユニットと、前記下階用固定側駆動ユニットの周囲に複数本のフレーム柱とを配置し、前記上階駐車部分には、駐車車両を搭載可能な可動側トレーを駆動すると共に、前記フレーク柱上に固定した上階用固定側駆動ユニットを配置するために使用する駐車装置の作業台装置において、
前記下階駐車部分に配置する前記可動側トレー上に搭載して使用する固定枠部と、前記固定枠部を搭載した前記可動側トレーの長手方向に分散して配置して前記固定枠部に取り付けた二台のクレーン装置と、前記固定枠部の中央上部に前記上階用固定側駆動ユニットを持ち上げ可能な持ち上げ装置を搭載して構成したことを特徴とする駐車装置の作業台装置。
【請求項２】
前記固定枠部は、前記下階駐車部分で使用することになる本設用の前記可動側トレー上に配置したことを特徴とする請求項１に記載の駐車装置の作業台装置。
【請求項３】
駐車スペースの下階駐車部分に下階用固定側駆動ユニットを設置する設置工程と、リフト装置に可動側トレーを配置し、前記可動側トレー上に、前記可動側トレーの長手方向に分散して配置した二台のクレーン装置と、中央上部に前記上階用固定側駆動ユニットを持ち上げ可能な持ち上げ装置とを備えた作業台装置を搭載する工程と、前記作業台装置を前記下階駐車部分の下階用固定側駆動ユニット上に移動し、前記二台のクレーン装置を使用して既に配置している前記下階用固定側駆動ユニットの周囲にフレーム柱を立設する立設工程と、前記作業台装置の前記持ち上げ装置を使用して前記駐車スペースの上階駐車部分に配置されることになる上階用固定側駆動ユニットを搭載した後、前記作業台装置を前記下階駐車部分の下階用固定側駆動ユニット上に移動し、前記持ち上げ装置を使用して前記上階用固定側駆動ユニットを前記フレーム柱の上に取り付ける組み立て工程と、とからなることを特徴とする駐車装置の据え付け方法。
【発明の詳細な説明】
【技術分野】
【０００１】
本発明は、駐車装置の作業台装置およびそれに用いた据え付け方法に関する。
【背景技術】
【０００２】
一般に駐車装置としては、地上に据え付けるものや地下に据え付けられるもの又は地下から地上にわたって据え付けられるものなど色々考えられる。一例として、建屋出入り口近傍の地下にリフト装置用ピットと駐車スペースを掘り、リフト装置用ピットには、縦ガイドレールを設置し、この縦ガイドレールに沿って昇降部分を昇降自在に取り付けてリフト装置を構成している。また駐車スペースには、下階駐車部分と上階駐車部分を構成し、それぞれに複数の固定側駆動ユニットを並べて設置し、さらに各固定側駆動ユニット上に駐車車両を搭載する可動側トレーをそれぞれ配置している。制御盤を通して各固定側駆動ユニットに配置した駆動装置を駆動制御することによって、可動側トレーをそれらの前後左右方向に駆動し、駐車車両を出し入れするようにしている。
【０００３】
このような駐車装置を据え付ける場合、従来の据付方法としては、（ａ）下階駐車部分の固定側駆動ユニットを設置すると共に固定側駆動ユニットの各コーナ部にフレーム柱を立設する工程、（ｂ）下階駐車部分の固定側駆動ユニット上に、仮設用トレーの上面に押上げリフト装置を設けた据付作業車を搭載する工程、（Ｃ）前記押上げリフト装置により上階駐車部分の固定側駆動ユニットをフレーム柱よりも高く押し上げ、据付作業車を据え付け位置まで走行させる工程、および（ｄ）据え付け位置で押上げリフト装置を降下させ、上階駐車部分の固定側駆動ユニットを前記フレーム柱に取付ける工程とからなるものが知られている（例えば、特許文献１参照）。
【０００４】
また、従来の据え付け方法として、（ａ）地下駐車場の床面に固定側駆動ユニットを据え付ける工程と、（ｂ）該固定側駆動ユニット上に、可動側トレーと実質的に同形状の仮設用トレーと該仮設用トレー上に設けたクレーン装置とからなる据付作業車を配置する工程と、（Ｃ）該据付作業車上に駐車スペースの部品を載置し、所定位置まで搬送すると共に、搬送した部品を前記クレーン装置を用いて吊り下げ、据付ける工程とからなるものが知られている。ここで使用されるクレーン装置は、仮設用トレー上の長手方向に移動可能に設けた台車と、該台車上に旋回自在に設けたブームと、該ブームの自由端に設けた巻上げ機構とから構成している（例えば、特許文献２参照）。
【先行技術文献】
【特許文献】
【０００５】
【特許文献１】特開平５−１３３１２８号公報
【特許文献２】特開平５−１１８１５５号公報
【発明の概要】
【発明が解決しようとする課題】
【０００６】
しかしながら、従来の駐車装置の据え付け方法は、いずれも、駐車スペースの上階駐車部分を構成するためにフレーム柱を立設する工程と、駐車スペースの上階駐車部分を構成する固定側駆動ユニットを押し上げて移動しフレーム柱の上部に固定する工程とを完全に分離していた。このため、フレーム柱を立設するために使用するクレーン装置と、固定側駆動ユニットを組み立てるために使用する押上げリフト装置とが必要となっていた。しかも、フレーム柱を立設する工程のために使用したクレーン装置を撤去した後に、固定側駆動ユニットを組み立てる工程のために押上げリフト装置を搬入することになり、その出し入れに時間を要し、また作業も面倒なものになっていた。さらに、フレーム柱を立設する工程のために使用したクレーン装置は、仮設用トレーの上でその長手方向に移動可能に構成しなければならず、一層、複雑な構成となっていた。
【０００７】
本発明の目的は、フレーム柱を立設する工程と固定側駆動ユニットを組み立てる工程とを簡略化することができるようにした駐車装置の作業台装置およびそれを用いた据え付け方法を提供することにある。
【課題を解決するための手段】
【０００８】
本発明は上記目的を達成するために、駐車部分に下階駐車部分と上階駐車部分とを構成し、前記下階駐車部分には、駐車車両を搭載可能な可動側トレーを駆動する複数の下階用固定側駆動ユニットと、前記下階用固定側駆動ユニットの周囲に複数本のフレーム柱とを配置し、前記上階駐車部分には、駐車車両を搭載可能な可動側トレーを駆動すると共に、前記フレーム柱上に固定した上階用固定側駆動ユニットを配置するために使用する駐車装置の作業台装置において、前記下階駐車部分に配置する前記可動側トレー上に搭載して使用する固定枠部と、前記固定枠部を搭載した前記可動側トレーの長手方向に分散して配置して前記固定枠部に取り付けた二台のクレーン装置と、前記固定枠部の中央上部に前記上階用固定側駆動ユニットを持ち上げ可能な持ち上げ装置を搭載して構成したことを特徴とする。
【０００９】
上記構成によれば、下階駐車部分に設置した下階用固定側駆動ユニットとリフト装置間で移動させながら、上階駐車部分を構成するためのフレーム柱を吊上げながら設置する工程と、上階駐車部分に設置する上階用固定側駆動部ユニットを持ち上げながら移動し組み立てる工程とのために同じ作業台装置を使用することができる。従って、クレーン装置と持ち上げ装置を従来のように入れ替える作業を行うことなく、作業台装置をリフト装置と下階駐車部分間で往復移動させるだけで済み、据え付け作業を効率的に、かつ簡単に行うことができる。しかも、二台のクレーン装置を可動側トレーの長手方向に分散して配置しているため、作業台装置の向きを変えることなくフレーム柱を持ち上げて設置する作業を行うことが可能となり、また、この作業台装置を搭載した可動側トレーは、本設用の可動側トレーに求められる動きだけで対応することができるようになり、本設用の可動側トレーの使用を可能とすると共に、向きを変える機構を使用しない分だけ構成を簡略化することができる。
【００１０】
また本発明は、上述の構成に加えて、前記固定枠部は、前記下階駐車部分で使用することになる本設用の前記可動側トレー上に配置したことを特徴とする。
【００１１】
上記構成によれば、この本設用の可動側トレー３７を継続して使用することができるように成り、その他の本設用の可動側トレーの設置作業を簡素化することができる。
【００１２】
また本発明は、駐車スペースの下階駐車部分に下階用固定側駆動ユニットを設置する設置工程と、リフト装置に可動側トレーを配置し、前記可動側トレー上に、前記可動側トレーの長手方向に分散して配置した二台のクレーン装置と、中央上部に前記上階用固定側駆動ユニットを持ち上げ可能な持ち上げ装置とを備えた作業台装置を搭載する工程と、  前記作業台装置を前記下階駐車部分の下階用固定側駆動ユニット上に移動し、前記二台のクレーン装置を使用して既に配置している前記下階用固定側駆動ユニットの周囲にフレーム柱を立設する立設工程と、前記作業台装置の前記持ち上げ装置を使用して前記駐車スペースの上階駐車部分に配置されることになる上階用固定側駆動ユニットを搭載した後、前記作業台装置を前記下階駐車部分の下階用固定側駆動ユニット上に移動し、前記持ち上げ装置を使用して前記上階用固定側駆動ユニットを前記フレーム柱の上に取り付ける組み立て工程と、とからなることを特徴とする。
【００１３】
上記据え付け方法によれば、上階駐車部分を構成するためのフレーム柱を吊上げながら設置する工程と、上階駐車部分に設置する上階用固定側駆動部ユニットを持ち上げながら移動し組み立てる工程とのために同じ作業台装置を使用することができる。従って、クレーン装置と持ち上げ装置を従来のように入れ替える作業を行うことなく工程数を減らし、据え付け作業を効率的に、かつ簡単に行うことができる。
【発明の効果】
【００１４】
本発明による駐車装置の作業台装置によれば、下階駐車部分に設置した下階用固定側駆動ユニットとリフト装置間で移動させながら、上階駐車部分を構成するためのフレーム柱を吊上げながら設置する工程と、上階駐車部分に設置する上階用固定側駆動部ユニットを持ち上げながら移動し組み立てる工程とのために同じ作業台装置を使用することができる。従って、クレーン装置と持ち上げ装置を従来のように入れ替える作業を行うことなく、作業台装置をリフト装置と下階駐車部分間で往復移動させるだけで済み、据え付け作業を効率的に、かつ簡単に行うことができる。しかも、二台のクレーン装置を可動側トレーの長手方向に分散して配置しているため、作業台装置の向きを変えることなくフレーム柱を持ち上げて設置する作業を行うことが可能となり、また、この作業台装置を搭載した可動側トレーは、本設用の可動側トレーに求められる動きだけで対応することができるようになり、本設用の可動側トレーの使用を可能とすると共に、向きを変える機構を使用しない分だけ構成を簡略化することができる。
【００１５】
また、本発明による駐車装置の据え付け方法によれば、上階駐車部分を構成するためのフレーム柱を吊上げながら設置する工程と、上階駐車部分に設置する上階用固定側駆動部ユニットを持ち上げながら移動し組み立てる工程とのために同じ作業台装置を使用することができる。従って、クレーン装置と持ち上げ装置を従来のように入れ替える作業を行うことなく工程数を減らし、据え付け作業を効率的に、かつ簡単に行うことができる。
【図面の簡単な説明】
【００１６】
【図１】本発明の一実施の形態による駐車スペースの据え付け方法を示すフローチャートである。
【図２】本発明を適用する駐車スペースの概略構成例を示す断面図である。
【図３】図２に示した駆動装置ユニットを吊り下げた状態を示す斜視図である。
【図４】図２に示したリフト装置の組み立て途中状態を示すリフト装置近傍の斜視図である。
【図５】図２に示したリフト装置の他の組み立て途中状態を示すリフト装置近傍の斜視図である。
【図６】図２に示した下階駐車部分に配置することになる下階用固定側駆動ユニットを吊り下げた状態を示すリフト装置近傍の斜視図である。
【図７】図２に示したリフト装置の他の組み立て途中状態を示すリフト装置近傍の斜視図である。
【図８】本発明の一実施の形態による駐車スペースの作業台装置を示す斜視図である。
【図９】図８に示した作業台装置の組み立て状態を示す斜視図である。
【図１０】図２に示した下階駐車部分への搬入状態を示す斜視図である。
【図１１】図２に示したフレーム柱を吊り下げた状態を示すリフト装置近傍の斜視図である。
【図１２】図８に示した作業台装置によりフレーム柱を吊上げた状態を示す斜視図である。
【図１３】図１２に示した作業台装置により上階用固定側駆動ユニットを受け取った状態を示すリフト装置近傍の斜視図である。
【図１４】図１３に示した作業台装置を下階駐車部分へ移動した状態を示す斜視図である。
【図１５】図２に示した本設用の可動側トレーを吊下げた状態を示すリフト装置近傍の斜視図である。
【発明を実施するための形態】
【００１７】
以下、本発明の実施の形態を図面に基づいて説明する。
【００１８】
図２は、本発明の一実施の形態による駐車スペースの概略構成を示している。
【００１９】
駐車スペース建屋１の出入り口２から乗り込んだ駐車車両３は、可動側トレー４上に搭載された状態でリフト装置５により駐車スペースへと移動させられる。リフト装置５は、紙面の手前と奥側に対向して配置した一対の縦ガイドレール６，７と、この縦ガイドレール６，７を後方の壁面に固定する支持脚８と、縦ガイドレール６，７に沿って上下方向に移動可能な昇降部分９と、この昇降部分９を駆動するために使用される駆動装置ユニット１０と、駐車車両３を搭載可能で、かつリフト装置５と駐車スペース間で移動可能に構成した可動側トレー１１とを有している。
【００２０】
可動側トレー１１上に搭載した駐車車両３を格納する駐車スペースは、駐車スペースの下階駐車部分１２と、駐車スペースの上階駐車部分１３とを有している。下階駐車部分１２には、下端を固定した複数本のフレーム柱１４が樹立され、各フレーム柱１４の上端部で上階駐車部分１３の床部を支持している。詳細な図示は省略しているが、駐車スペースの下階駐車部分１２および上階駐車部分１３の床部には、可動側トレー１１と対を成す固定側駆動部ユニットが構成されている。この固定側駆動部ユニットは、可動側トレー１１と対向する部分に周知の方向転換式駆動機構が構成されており、制御盤からの指令に基づいて方向転換式駆動機構を駆動することによって可動側トレー１１を任意の位置へと移動することができるように構成されている。
【００２１】
駐車スペース建屋１には、リフト装置５を構成するために縦方向にピットが掘られているため、リフト装置５の上部にはリフト開口部が存在している。組み立て後の使用状態では、このリフト開口部はターンテーブルなどの構成によって塞がれ、駐車スペース建屋１の出入り口２から乗り込んだ駐車車両３はリフト装置５の昇降部分９によってのみ駐車スペースへと移動できる。一方、組み立て前においては、リフト開口部にターンテーブルなどの構成がまだ配置されておらず、リフト装置５の上部に存在するこのリフト開口部からのみ駐車スペースを構成する各種部品の搬入が可能である。
【００２２】
次に、本発明の一実施の形態による駐車スペースの据え付け方法について説明する。
【００２３】
先ず、据え付け方法のフローチャートを示す図１のステップＳ１として、駐車スペースを構成する各種部品をリフト装置５の上部に存在するリフト開口部から吊り降ろすための準備となる据え付け準備工程を実施する。
【００２４】
リフト装置５の上部に存在するリフト開口部よりもさらに上方部に位置する駐車スペース建屋１の天井部には、建屋横梁１５，１６などが存在している。そこで建屋横梁１５，１６間に、駐車スペース建屋１の出入り口２から乗り込んだ駐車車両３の進入方向に伸びた作業用レール１７をしっかりと支持固定し、この作業用レール１７に沿って走行可能な電動チェーンブロック装置１８を配置する。電動チェーンブロック装置１８は、この実施例の配置および構成に限らず、他の構成のものであっても良し、協働する複数台を設置しても良い。
【００２５】
次に、図１に示したステップＳ２として、リフト装置５の前半組み立て工程を実施する。
【００２６】
リフト装置５としは柱を２本にしたものや４本にしたもの等種々の構成のものを採用することができるが、この例では２本柱の例で示す。リフト装置５は、全体の組み立て状態でリフト開口部から搬入することはできないので、駐車スペース建屋１の出入り口２やリフト開口部の大きさを考慮して複数のユニットに分割し、搬入した後に、ピット内で組み立てるようにしている。
【００２７】
ここで例示しているリフト装置５は、図３〜図５に示すように回転軸１９に一対のスプロケット２０，２１を有して構成されピット下部に設置することになる駆動装置ユニット１０と、この駆動装置ユニット１０の両側に対向配置することになる一対の縦ガイドレール６，７と、この縦ガイドレール６，７間をその高さ方向の中間部で機械的に結合することになる中間連結用横梁２２と、可回転的に支持した一対のスプロケット２３，２４を有し縦ガイドレール６，７の上部間を機械的に結合することになる上部連結用横梁２５と、駆動装置ユニット１０のスプロケット２０，２１の回転力を上部連結用横梁２５に設けたスプロケット２３，２４に伝達するために使用する駆動チェーンなどを有している。
【００２８】
ここで作業者は最初に、リフト装置５のピット内に設置することになる駆動装置ユニット１０を駐車スペース建屋１の出入り口２から搬入しリフト開口部近傍に仮置きする。この駆動装置ユニット１０は、中央部に電動機２６を有し、電動機２６によって回転駆動される回転軸１９の両側にスプロケット２１，２２が結合されている。リフト開口部の上方部には、図２に示すように作業用レール１７が既に配置されており、作業者は、この作業用レール１７に沿って移動可能に配置した電動チェーンブロック装置１８を用いて、仮置き状態の駆動装置ユニット１０に玉掛けする。その後、作業者は、図３に示すように電動チェーンブロック装置１８を操作しながら駆動装置ユニット１０をピット下部に吊り降ろし、所定の床面位置に設置して、電動チェーンブロック装置１８と切り離す。この作業に際して、一般的には、ピット下部に安全柵を設置するなどの安全対策を施す。
【００２９】
その後、同じ電動チェーンブロック装置１８を用いてリフト装置５の他の構成部品を順次、下部ピット内に吊り降ろし、リフト装置５の前半組み立て工程を実施する。例えば、駆動装置ユニット１０の両側に位置することになる一対の縦ガイドレール６，７をそれぞれ吊り降し、位置決めをしながらその下端部をピット下部の所定位置の床面に固定する。その後、図４に示すように中間連結用横梁２２を吊り降ろし、両縦ガイドレール６，７の高さ方向の中間部をこの中間連結用横梁２２によって機械的に結合して安定した結合構成とする。同様にして、可回転的に支持した一対のスプロケット２３，２４を有する上部連結用横梁２５を吊り降ろし、両縦ガイドレール６，７の上部間を上部連結用横梁２５によって機械的に結合する。このときのリフト装置５を図５に示している。さらに、両縦ガイドレール６，７の結合構成をより安定させるために、図２に示した支持脚８によって背後の壁面に固定する。これらの作業に際して、ピット下部に作業用足場を構築し、この作業用足場を利用しながら作業を行う。
【００３０】
次に、リフト装置における駆動系の組み立てを行う前に、図１に示したステップＳ３として駐車スペースの下階駐車部分１２の組み立て工程を行う。
【００３１】
この駐車スペースの下階駐車部分１２の組み立て工程は、ステップＳ２として示したリフト装置５の前半組み立て工程前に実施することも可能である。下階駐車部分１２の床には、下階用固定側駆動部ユニット２７が複数台設置され、駐車車両を搭載することになる可動側トレー１１がその下階用固定側駆動部ユニット２７の上方部に位置したとき、制御盤を通しての制御によって可動側トレー１１を任意の方向に駆動することができる。
【００３２】
図６に示すように下階用固定側駆動部ユニット２７は、ほぼ四角形の枠体２８に駆動用モータ２９や駆動モータ２９によって駆動される送りローラ３０などを組み込んで予め組み立てられた状態で搬送されて来る。作業車は、この下階用固定側駆動部ユニット２７を、駐車スペース建屋１の出入り口２から台車などを使用して一台ずつ搬入しリフト開口部近傍に仮置きする。
【００３３】
その後、作業車は、電動チェーンブロック装置１８を用いて仮置き状態の下階用固定側駆動部ユニット２７に玉掛けする。次いで、作業車は、図６に示すように電動チェーンブロック装置１８を操作しながら下階用固定側駆動部ユニット２７を下部ピット内に吊り降ろし、ピット下部に既に配置している台車３１に搭載してから、電動チェーンブロック装置１８を切り離す。
【００３４】
その後、作業者は、この台車３１を利用して下階用固定側駆動部ユニット２７を下階駐車部分１２の所定の位置まで移動する。所定位置に達したとき、作業者は、その位置に三脚チェーンブロック装置を複数台設置し、各三脚チェーンブロック装置を用いて下階用固定側駆動部ユニット２７を仮保持した状態にして、台車３１を取り外す。続いて、作業者は、各三脚チェーンブロック装置を操作して下階用固定側駆動部ユニット２７を予め床面に固定していた取り付けベースの受け部材上に降ろし、同部に固定する。この作業は、下階用固定側駆動部ユニット２７の台数に応じて繰り返して行う。
【００３５】
一部の作業者は、ステップＳ３を終了した後、図１のステップＳ４として各下階用固定側駆動部ユニット２７の各駆動モータ２９のための電源との配線接続作業や、制御盤との配線接続作業を始める。このステップＳ４としての作業が完了した時点で、作業者は、制御盤、または制御盤に接続した作業用の簡易操作装置を使用して、各下階用固定側駆動部ユニット２７の各駆動モータ２９の駆動制御を行えるようにし、それらの上方部に位置した可動側トレー１１を所定位置まで駆動できるようにする。
【００３６】
次に、図１に示したステップＳ５として、リフト装置５における駆動系の組み立て工程を実施する。
【００３７】
上述したようにリフト装置５は、ステップＳ２の前半組み立て工程によって図５に示した状態にまで組み立てられている。この状態から、作業者は、図７に示すようにバランスウエイト３２や、昇降部分９や、駆動チェーン３３，３４や、フォーク部材３５やレール部材３６などを先の作業工程と同様に電動チェーンブロック装置１８を用いてピット部に順次搬入しながら組み立てて行く。
【００３８】
その後、駆動系の具体的な構成によっても異なるが、駆動装置ユニット１０の回転軸１９に結合した一対のスプロケット２０，２１に噛み合わせた駆動チェーン３３の一端部をバランスウエイト３２に連結し、駆動チェーン３３の他端部を昇降部分９に連結する。これと同時に、上部連結用横梁２５に可回転的に支持した一対のスプロケット２３，２４に噛み合わせた駆動チェーン３４の一端部をバランスウエイト３２に連結し、駆動チェーン３４の他端部を昇降部分９に連結する。最後に、作業者は、同様に電動チェーンブロック装置１８を用いて図８に示した本設用の可動側トレー３７を吊り降ろし、図７に示したレール部材３６の上に本設用の可動側トレー３７を配置する。
【００３９】
一部の作業者は、ステップＳ３を終了した後、または遅くともステップＳ５を終了した後、図１のステップＳ６としてリフト装置５における各部の電源との配線接続作業や、制御盤との配線接続作業を始める。作業者は、このステップＳ６としての作業が完了した時点で、制御盤、または制御盤に接続した作業用の簡易操作装置を使用して、駆動装置ユニット１０の電動機２６を駆動制御してリフト装置５による昇降や、可動側トレー３７を下階駐車部分１２側へ駆動する制御を行えるようにする。
【００４０】
次に、図１に示したステップＳ７として、駐車スペースの上階駐車部分１３の組み立て工程を行う。
【００４１】
この駐車スペースの上階駐車部分１３の組み立て工程は、ステップＳ８として示す前段作業としての作業台装置の搬入および組み立て工程と、ステップＳ９として示すフレーム柱の組み立て工程と、ステップＳ１０として示す上階駐車部分１３の床部への上階用固定側駆動部ユニットを配置する組み立て工程とを有しており、先ず、ステップＳ８として示す前段作業としての作業台装置の搬入及び組み立て工程について説明する。
【００４２】
図８に示すように作業台装置３８は、これ以降の作業工程で使用するためのものであり、枠体で構成した固定枠部３９と、この固定枠部３９の四隅にそれぞれ構成されて上部に伸ばされたとき後述する上階用固定側駆動部ユニットを保持することができるように構成した複数の保持腕部４０と、固定枠部３９の両側、つまり図９に示すように対向配置した両縦ガイドレール６，７側にそれぞれが位置するように取り付けられた二台の折り畳み式のクレーン装置４１，４２と、固定枠部３９の上部に載置された状態で後述する上階用固定側駆動部ユニットを保持することができるように構成した押し上げ式リフト装置等の持ち上げ装置４３とを有して構成されている。
【００４３】
先ず、作業者は、折り畳んだ状態のクレーン装置４１，４２を取り付けた作業台装置３８を駐車スペース建屋の出入り口から搬入してリフト開口部近傍に仮置きする。その後、先の作業工程の場合と同様に作業者は、電動チェーンブロック装置１８を用いて仮置き状態の作業台装置３８に玉掛けする。次いで、作業者は、電動チェーンブロック装置１８を操作しながら作業台装置３８をピット内に吊り降ろし、図９に示すように本設用の可動側トレー３７上に搭載してから、電動チェーンブロック装置１８を切り離す。その後、作業者は、同様に電動チェーンブロック装置１８を用いて畳んだ状態の持ち上げ装置４３を吊り下げ、作業台装置３８の上部に持ち上げ装置４３を載せてから、電動チェーンブロック装置１８を切り離し、続いて、持ち上げ装置４３を作業台装置３８に固定する。
【００４４】
このとき、作業台装置３８の搬入および組み立て工程を行う作業者は、図９に示すように本設用の可動側トレー３７上で行うことができるので、仮説用の作業台を設置することなく簡単に行うことができるし、また本設用の可動側トレー３７は四角形の板状であるため、安全に作業を行うことができる。
【００４５】
尚、このときまでに、ステップＳ４およびステップＳ６として示した可動側トレー３７を駆動制御するために使用する制御盤の配置や、制御盤との電気的な配線接続作業や、作業用の簡易操作装置の接続作業が完了している。従って、作業者は、簡易操作装置を操作して可動側トレー３７を駆動制御できる状態となっている。
【００４６】
その後、作業者は、制御盤を通して本設用の可動側トレー３７の移動操作を行い、図８で説明したように組み立てた作業台装置３８を搭載した状態の可動側トレー３７を、図９に示すように既に設置している下階用固定側駆動部ユニット２７を利用しながら駐車スペースの下階駐車部分１２へと移動する。
【００４７】
ここで、図１に示したステップＳ９として、フレーム柱４５の組み立て工程を開始する。
【００４８】
このフレーム柱４５は、図１５に示したように駐車スペースの下階駐車部分１２に既に設置している下階用固定側駆動部ユニット２７の四隅に直接または受け部材５１を介して設置位置が決められる下部固定部４６と、駐車スペースの上階駐車部分１３に設置されることになる上階用固定側駆動部ユニットの四隅に直接または受け部材を介して所定の位置に保持することになる上部固定部４７と、下部固定部４６と上部固定部４７間を結合する柱状部４８とを有している。
【００４９】
作業者は、図９に示した本設用の可動側トレー３７および作業台装置３８を移動した後、リフト装置５のレール部材３６上に、電動チェーンブロック装置１８を用いて他の本設用の可動側トレー４４を吊り降ろして配置する。続いて、作業者は、図１１に示したように他の可動側トレー４４の上に、電動チェーンブロック装置１８を用いて複数本のフレーム柱４５を吊り降ろす。その後、作業者は、制御盤を通して他の可動側トレー４４の移動操作を行い、他の可動側トレー４４を、図９に示すように既に設置している下階用固定側駆動部ユニット２７を利用しながら駐車スペースの下階駐車部分１２へと移動し、先に移動を完了している本設用の可動側トレー３７に並置させる。
【００５０】
このとき、図１０に示すように作業台装置３８のクレーン装置４１およびクレーン装置４２の腕部を延ばして使用したとき、それぞれのクレーン装置４１，４２がフレーム柱４５を吊り上げることができるように、フレーム柱４５を可動側トレー４４上で分散して配置している。
【００５１】
このフレーム柱４５の吊り降ろしを行う作業者は、図１１に示すように安全のためにフレーム柱の真下を避けた近傍や、安全な位置の本設用の可動側トレー４４上で作業を行うことができるので、仮設用トレーを設置することなく簡単に行うことができるし、また本設用の可動側トレー４４は四角形の板状であるため、安全に作業を行うことができる。
【００５２】
駐車スペースの下階駐車部分１２に配置される下階用固定側駆動部ユニット２７の数に応じて、図１１および図１０で説明したフレーム柱４５の供給を繰り返すことができる。また、下階用固定側駆動部ユニット２７の数が多い場合は、作業者は、制御盤を通して作業台装置３８を搭載した状態の本設用の可動側トレー３７を前後左右に動かしながら同様の作業を行うことができる。
【００５３】
次に、作業者は、図１２に示すように可動側トレー３７上に配置した作業台装置３８を使用するために、そのクレーン装置４１、４２の腕部を折り畳んだ状態から延ばした状態にする。作業者は、図示の左側に位置するクレーン装置４２を使用して、隣の可動側トレー４４上に配置した一本のフレーム柱４５を吊り上げ、図示の左側でその下部を付設床面上の所定の位置に移動しながら下部固定部４６を固定する。クレーン装置４２を操作する作業者は、図示の左側に位置するクレーン装置４２を使用して、それが届く範囲内で他のフレーム柱４５に対しても同様に据え付け作業を行う。
【００５４】
その後、作業者は、図示の右側に位置するクレーン装置４１を使用して、隣の可動側トレー４４上に配置した一本のフレーム柱４５を吊り上げ、図示の左側でその下部を付設床面上の所定の位置に移動しながら下部固定部４６を固定する。クレーン装置４１を操作する作業者は、図示の右側に位置するクレーン装置４１を使用して、それが届く範囲内で他のフレーム柱４５に対しても同様に据え付け作業を行う。
【００５５】
続いて、図１に示したステップＳ１０として、上階駐車部分１３の床部への上階用固定側駆動部ユニット４９を配置する組み立て工程を実施する。
【００５６】
作業者は、先ず、本設用の可動側トレー３７上に搭載している作業台装置３８のクレーン装置４１，４２の腕部を、延ばした状態から折り畳んだ状態に戻し、再び、図１２に示すように作業台装置３８を搭載した可動側トレー３７をリフト装置５へと移動する。
【００５７】
次いで、作業者は、図１３に示すように作業台装置３８の四隅の構成した複数の保持腕部４０を上部へ延ばす。この状態で、作業者は、駐車スペースの上階駐車部分１３に配置することになる上階用固定側駆動部ユニット４９をこれまでと同様に、リフト開口部近傍に仮置きする。この上階用固定側駆動部ユニット４９は、既に説明した下階用固定側駆動部ユニット２７と同一構成である。作業者は、電動チェーンブロック装置１８を用いながら上階用固定側駆動部ユニット４９を下部ピット内に吊り降ろし、作業台装置３８の各保持腕部４０上に搭載してから、電動チェーンブロック装置１８を切り離す。上階用固定側駆動部ユニット４９の保持をより安定させるために、作業者は持ち上げ装置４３を作動して上部を上方へと移動させ、この持ち上げ装置４３によっても上階用固定側駆動部ユニット４９を支持した状態とする。
【００５８】
その後、作業者は、制御盤を通して操作し、作業台装置３８および上階用固定側駆動部ユニット４９を搭載した状態の本設用の可動側トレー３７をリフト装置５上から、図１２で説明したように既にフレーム柱４５を固定した状態の下階用固定側駆動部ユニット２７上へと移動する。
【００５９】
続いて、作業者は、図１４に示すように作業台装置３８の各保持腕部４０を下げて収納状態とし、上階用固定側駆動部ユニット４９を持ち上げ装置４３だけで支持した状態にする。その後、作業者は、持ち上げ装置４３を操作して、ゆっくりと上階用固定側駆動部ユニット４９を下げながらフレーム柱４５の上部固定部４７上に搭載するようにし、両者を結合する。その後、作業者は、駐車スペースの上階駐車部分１３に配置することになる上階用固定側駆動部ユニット４９の数に応じて、図１３および図１４で説明した作業を繰り返す。
【００６０】
このように作業台装置３８としては、クレーン装置４１，４２と持ち上げ装置４３を有した一体型として構成すると共に、本設用の可動側トレー３７上に搭載して使用するようにしているため、可動側トレー３７をリフト装置５と駐車スペースの下階駐車部分１２間で移動させることによって、駐車スペースの上階駐車部分１３を構成することができる。しかも、ステップＳ７で示した上階駐車部分１３の組み立て工程中に、作業台装置３８を解体することもなく、他の作業台と入れ替えることもないないので、作業は簡単で短時間に行うことができる。
【００６１】
また、作業台装置３８としては、可動側トレー３７の長手方向に分散して配置した二台のクレーン装置４１，４２を有した一体型として構成すると共に、可動側トレー３７上に搭載して使用するようにしているため、作業台装置３８を可動側トレー３７上で複雑に動かすことなくステップＳ９としてのフレーム柱４５の組み立て工程を行うことができる。しかも、作業台装置３８を可動側トレー３７上で複雑に動かすことがないので、作業台装置３８を簡略化した構成とすることができる。
【００６２】
次に、図１に示すステップＳ１１として、残りの可動側トレーの搬入および設置工程を行う。
【００６３】
先に説明したように、作業台装置３８やフレーム柱４５の搬入作業のために、既に二枚の本設用の可動側トレー３７，４４を設置しているので、これを考慮して他の本設用可動側トレーを搬入する。リフト装置５のレール部材３６の高さ位置は、駐車スペースの下階駐車部分１２に対応する高さであり、作業者は、下階駐車部分１２に配置している他の下階用固定側駆動部ユニット２７に対応させることになる他の本設用可動側トレー５０を電動チェーンブロック装置１８によってリフト装置５のレール部材３６上に吊り降ろす。その後、作業者は、制御盤を通して可動側トレー５０を駆動し、対応する位置の下階用固定側駆動部ユニット２７上に配置させる。
【００６４】
下階駐車部分１２の作業が完了したら、作業者は、制御盤を通してリフト装置５のレール部材３６の高さを駐車スペースの上階駐車部分１３に対応する高さに移動させ、上階駐車部分１３に配置している他の上階用固定側駆動部ユニット４９に対させることになる他の本設用可動側トレー５０を電動チェーンブロック装置１８によってリフト装置５のレール部材３６上に吊り降ろす。その後、作業者は、制御盤を通して可動側トレー５０を駆動し、対応する位置の上階用固定側駆動部ユニット４９上に配置させる。
【００６５】
その後、作業者は、制御盤を通してステップＳ７で使用していた作業台装置３８を搭載していた可動側トレー３７を移動させ、リフト装置５に搭載させた後、リフト装置５を上方へ駆動し、電動チェーンブロック装置１８を使用して回収する。
【００６６】
尚、作業台装置３８やフレーム柱４５の搬入作業のために使用する本設用の可動側トレー３７，４４は、必ずしも本設用ではなく類似形状の仮設用トレーでも良い。仮設用トレーを使用した場合は、先ず、仮設用トレーの搬出を行った後に、ステップＳ１１で示した他の本設用可動側トレー５０の搬入および設置工程を行う。また、フレーム柱４５の搬入作業のために使用する仮設或は本設用の可動側トレー４４を１枚の例で示したが数枚用いることも可能である。
【００６７】
また、上記実施例では、地下駐車スペースの例を示したが、地上に設置される駐車装置にも本発明を用いることができる。
【００６８】
以上説明したように本発明による駐車装置の作業台装置３８は、下階駐車部分１２に配置する可動側トレー３７上に搭載して使用する固定枠部３９と、固定枠部３９を搭載した可動側トレー３７の長手方向に分散して配置して固定枠部に取り付けた二台のクレーン装置４１，４２と、固定枠部３９の中央上部に上階用固定側駆動ユニット４９を持ち上げ可能な押し上げ式リフト装置などの持ち上げ装置４３を搭載して構成しため、下階駐車部分１２に設置した下階用固定側駆動ユニット２７とリフト装置５間で移動させながら、上階駐車部分１３を構成するためのフレーム柱４５を吊上げながら設置する工程と、上階駐車部分１３に設置する上階用固定側駆動部ユニット４９を持ち上げながら移動し組み立てる工程とのために使用することができる。従って、クレーン装置４１，４２と持ち上げ装置４３を従来のように入れ替える作業を行うことなく、作業台装置３８をリフト装置５と下階駐車部分１２間で往復移動させるだけで済み、据え付け作業を効率的に、かつ簡単に行うことができる。しかも、二台のクレーン装置４１，４２を可動側トレー３７の長手方向に分散して配置しているため、作業台装置３８の向きを変えることなくフレーム柱４５を持ち上げて設置する作業を行うことが可能となり、また、この作業台装置３８を搭載した可動側トレー３７は、本設用の可動側トレーに求められる動きだけで対応することができるようになり、本設用の可動側トレー３７の使用を可能とすると共に、向きを変える機構を使用しない分だけ構成を簡略化することができる。
【００６９】
また、作業台装置３８をリフト装置５上に構成する場合、作業台装置３８を使用した作業のために専用のトレーを使用することもできるが、その昇降部分に下階駐車部分１２で使用することになる本設用の可動側トレー３７を配置し、この本設用の可動側トレー３７上に作業台装置３８を搭載したため、この本設用の可動側トレー３７を継続して使用することができるように成り、その他の本設用の可動側トレーの設置作業を簡素化することができる。
【００７０】
また、本発明による駐車装置の据え付け方法は、駐車スペースの下階駐車部分１２に下階用固定側駆動ユニット２７を設置する設置工程と、リフト装置５に可動側トレー３７を配置し、可動側トレー３７上に、可動側トレー３７の長手方向に分散して配置した二台のクレーン装置４１，４２と、中央上部に上階用固定側駆動ユニット４９を持ち上げ可能な持ち上げ装置４３とを備えた作業台装置３８を搭載する工程と、作業台装置３８を下階駐車部分１２の下階用固定側駆動ユニット２７上に移動し、二台のクレーン装置４１，４２を使用して既に配置している下階用固定側駆動ユニット２７の周囲にフレーム柱４５を立設する立設工程と、作業台装置３８の持ち上げ装置４３を使用して駐車スペースの上階駐車部分１３に配置されることになる上階用固定側駆動ユニット４９を搭載した後、作業台装置３８を下階駐車部分１２の下階用固定側駆動ユニット２７上に移動し、持ち上げ装置４３を使用して上階用固定側駆動ユニット４９をフレーム柱４５の上に取り付ける組み立て工程と、からなる。
【００７１】
このため、上階駐車部分１３を構成するためのフレーム柱４５を吊上げながら設置する工程と、上階駐車部分１３に設置する上階用固定側駆動部ユニット４９を持ち上げながら移動し組み立てる工程とのために同じ作業台装置３８を使用することができる。従って、クレーン装置５と持ち上げ装置４３を従来のように入れ替える作業を行うことなく工程数を減らし、据え付け作業を効率的に、かつ簡単に行うことができる。
【符号の説明】
【００７２】
５    リフト装置
１２  下階駐車部分
１３  上階駐車部分
２７  下階用固定側駆動ユニット
３７  可動側トレー
３８  作業台装置
３９  固定枠部
４１，４２  クレーン装置
４３  持ち上げ装置
４５  フレーム柱
４９  上階用固定側駆動ユニット
【図１】
2014040731.tif 000003
【図２】
2014040731.tif 000004
【図３】
2014040731.tif 000005
【図４】
2014040731.tif 000006
【図５】
2014040731.tif 000007
【図６】
2014040731.tif 000008
【図７】
2014040731.tif 000009
【図８】
2014040731.tif 000010
【図９】
2014040731.tif 000011
【図１０】
2014040731.tif 000012
【図１１】
2014040731.tif 000013
【図１２】
2014040731.tif 000014
【図１３】
2014040731.tif 000015
【図１４】
2014040731.tif 000016
【図１５】
2014040731.tif 000017